(57)【要約】  本発明は、携帯性及び耐久性に優れた発電モジュール群を提供することを目的とする。発電モジュール群１は、シート１０と、発電パネル２１〜２４とを備える発電モジュール群が提供される。互いに横方向に隣接する発電パネル２１，２２の間には、発電パネル２１，２２の何れも横切らず、かつ発電パネル２１，２２の両方に接する第１直線Ｌ１，Ｌ１’が存在する。また、第２直線Ｌ２は、発電パネル２１の底部及び発電パネル２２の底部の下側に存在し、かつ発電パネル２１，２２の何れも横切らず、さらに横方向に平行な直線である。発電モジュール群１では、第２直線Ｌ２と第１直線Ｌ１，Ｌ１’とにより形成される角のうち、発電パネル２２側の角度が最大となる第１角θ１が鋭角となる。また、発電パネル２３，２４は、それぞれ、発電パネル２１，２２と横方向に対して線対称となるように配置される。
2017168981.tif 000002
【特許請求の範囲】
【請求項１】
可撓性を有するシートと、該シートによって連結される複数の発電パネルとを備える発電モジュール群であって、
前記複数の発電パネルに含まれる、互いに横方向に隣接する第１発電パネル及び第２発電パネルと、該第１発電パネルに縦方向に隣接する第３発電パネルと、該第２発電パネルに縦方向に隣接する第４発電パネルとにおいて、
前記第１発電パネルと前記第２発電パネルとの間には、前記第１発電パネル及び前記第２発電パネルの何れも横切らず、かつ前記第１発電パネル及び前記第２発電パネルの両方に接する第１直線が存在し、
前記第１発電パネルの底部側及び前記第２発電パネルの底部側に存在し、かつ前記第１発電パネル及び前記第２発電パネルの何れも横切らず、さらに横方向に平行な第２直線と、前記第１直線とにより形成される角のうち、前記第２発電パネル側の角度が最大となる第１角が鋭角であり、
前記第３発電パネルは、前記第１発電パネルと横方向に対して線対称となるように配置され、前記第４発電パネルは、前記第２発電パネルと横方向に対して線対称となるように配置される、発電モジュール群。
【請求項２】
前記第３発電パネル及び前記第４発電パネルは、互いに横方向に隣接し、
前記第２直線は、前記第３発電パネルの頂部側及び前記第４発電パネルの頂部側に存在し、かつ前記第３発電パネル及び前記第４発電パネルの何れも横切らず、
前記第３発電パネルと前記第４発電パネルとの間には、前記第３発電パネル及び前記第４発電パネルの何れも横切らず、かつ前記第３発電パネル及び前記第４発電パネルの両方に接する第３直線が存在し、
前記第２直線と、前記第３直線とにより形成される角であって、前記第４発電パネル側の角度が最大となる第２角が鋭角である、請求項１に記載の発電モジュール群。
【請求項３】
前記第１角及び前記第２角は、８０°以上９０°未満である、請求項２に記載の発電モジュール群。
【請求項４】
前記シートは、前記第１発電パネル、前記第２発電パネル、前記第３発電パネル及び第４発電パネルが配置されるシート部分の中央部に、貫通領域を有する、請求項２又は３に記載の発電モジュール群。
【請求項５】
前記シートは、配線を含む、請求項１から４の何れか一項に記載の発電モジュール群。
【発明の詳細な説明】
【技術分野】
【０００１】
本発明は、発電モジュール群に関する。
【背景技術】
【０００２】
近年、商用電源を得られない外出先等でも、利用者が、スマートフォン、ノートＰＣ（Personal Computer）、ダブレットＰＣ等の携帯機器を利用できるように、携帯可能な発電装置の需要が高まっている。【０００３】
携帯可能な発電装置の１つとして、折り畳み可能なシート状発電装置が知られている。例えば、特許文献１には、複数個の太陽電池モジュールをシートに配置させて構成されるシート状発電装置が開示されている。特許文献１では、シートの厚さ方向に所定深さの溝を区割り線として形成し、その形成した区割り線にてシートを折り曲げることで、シート状発電装置が折り畳まれる。
【先行技術文献】
【特許文献】
【０００４】
【特許文献１】特開２０１５−８８５６１号公報
【発明の概要】
【発明が解決しようとする課題】
【０００５】
ところで、上述の特許文献１に記載の区割り線のような折り線をシートに形成してシート状発電装置を折り畳むようにすると、シートを折り畳んだ際に区割り線にかかる負担が大きくなる。また、例えば所定深さの溝として、折り線をシートに形成すると、シート自体の耐久性が低下する。【０００６】
本発明の目的は、上述した課題を解決し、携帯性及び耐久性に優れた発電モジュール群を提供することにある。
【課題を解決するための手段】
【０００７】
この発明は、上記課題を有利に解決することを目的とするものであり、本発明の発電モジュール群は、可撓性を有するシートと、該シートによって連結される複数の発電パネルとを備える発電モジュール群であって、前記複数の発電パネルに含まれる、互いに横方向に隣接する第１発電パネル及び第２発電パネルと、該第１発電パネルに縦方向に隣接する第３発電パネルと、該第２発電パネルに縦方向に隣接する第４発電パネルとにおいて、前記第１発電パネルと前記第２発電パネルとの間には、前記第１発電パネル及び前記第２発電パネルの何れも横切らず、かつ前記第１発電パネル及び前記第２発電パネルの両方に接する第１直線が存在し、前記第１発電パネルの底部側及び前記第２発電パネルの底部側に存在し、かつ前記第１発電パネル及び前記第２発電パネルの何れも横切らず、さらに横方向に平行な第２直線と、前記第１直線とにより形成される角のうち、前記第２発電パネル側の角度が最大となる第１角が鋭角であり、前記第３発電パネルは、前記第１発電パネルと横方向に対して線対称となるように配置され、前記第４発電パネルは、前記第２発電パネルと横方向に対して線対称となるように配置される。このような構成とすることで、シートに折り線を形成しなくても、発電モジュール群がコンパクに折り畳めるようになり、発電モジュール群を、携帯性及び耐久性に優れたものとすることができる。【０００８】
ここで、本発明の発電モジュール群において、前記第３発電パネル及び前記第４発電パネルは、互いに横方向に隣接し、前記第２直線は、前記第３発電パネルの頂部側及び前記第４発電パネルの頂部側に存在し、かつ前記第３発電パネル及び前記第４発電パネルの何れも横切らず、前記第３発電パネルと前記第４発電パネルとの間には、前記第３発電パネル及び前記第４発電パネルの何れも横切らず、かつ前記第３発電パネル及び前記第４発電パネルの両方に接する第３直線が存在し、前記第２直線と、前記第３直線とにより形成される角であって、前記第４発電パネル側の角度が最大となる第２角が鋭角であることが好ましい。【０００９】
また、本発明の発電モジュール群において、前記第１角及び前記第２角は、８０°以上９０°未満であることが好ましい。このような構成とすることで、発電モジュール群の収納状態において、発電パネルによって占められる平面内の面積の増加を防ぐことができ、発電モジュール群を携帯性に優れたものとすることができる。【００１０】
また、本発明の発電モジュール群において、前記シートは、前記第１発電パネル、前記第２発電パネル、前記第３発電パネル及び第４発電パネルが配置されるシート部分の中央部に、貫通領域を有することが好ましい。このような構成とすることで、発電モジュール群１を折り畳んだ際に、シートにかかる負担を低減することができる。【００１１】
また、本発明の発電モジュール群において、前記シートは、配線を含むことが好ましい。
【発明の効果】
【００１２】
本発明によれば、携帯性及び耐久性に優れた発電モジュール群を提供することができる。
【図面の簡単な説明】
【００１３】
【図１】本発明の一実施形態に係る発電モジュール群の使用状態における上面図である。
【図２】本発明の一実施形態に係る発電モジュール群の使用状態における正面図である。
【図３】図１に示す発電モジュール群の縦方向折り畳み状態における斜視図である。
【図４】図１に示す発電モジュール群の収納状態における上面図である。
【図５】図１に示す発電モジュール群の収納状態における正面図である。
【図６】図１に示す発電モジュール群における発電パネルの配置関係について説明するための上面図である。
【図７】図６に示す発電モジュール群の縦方向折り畳み状態における斜視図である。
【図８】比較例に係る発電モジュール群における複数の発電パネルの配置関係について説明するための上面図である。
【図９】図８に示す発電モジュール群の縦方向折り畳み状態における斜視図である。
【図１０】変形例１に係る発電モジュール群における発電パネルの配置関係について説明するための上面図である。
【図１１】変形例２に係る発電モジュール群における発電パネルの配置関係について説明するための上面図である。
【発明を実施するための形態】
【００１４】
以下、本発明の実施形態について、図面を参照して説明する。なお、本発明は下記の実施形態に限定されるものではない。
【００１５】
図１は、本発明の一実施形態に係る発電モジュール群１の使用状態における上面図であり、図２は、本発明の一実施形態に係る発電モジュール群１の使用状態における正面図である。ここで、「使用状態」とは、各発電パネル２１〜２９が互いに重ならないよう、発電モジュール群１全体を平面状に広げた状態である。
【００１６】
なお、本明細書において、上側とは、図１等の上面図の紙面手前側を意味し、下側とは、その反対側を意味するものとする。また、本明細書において、横方向とは、図１等の上面図の紙面左側から紙面右側に向かう方向及び紙面右側から紙面左側に向かう方向の両方向を意味するものとする。また、縦方向とは、図１等の上面図の紙面上側から紙面下側に向かう方向及び紙面下側から紙面上側に向かう方向の両方向を意味するものとする。
【００１７】
発電モジュール群１は、利用者が商用電源を得られない外出先等で電力を得るために使用するシート状の発電モジュール群である。発電モジュール群１は、シート１０と、発電パネル２１，２２，２３，２４，２５，２６，２７，２８，２９とを備える。なお、図１に示す例では、発電モジュール群１は、９個の発電パネル２１〜２９を備えているが、発電モジュール群１が備える発電パネルの個数は、これに限定されず、９個未満でも１０個以上でもよい。本実施形態に係る発電モジュール群１は、発電装置の本体部（図示せず）に接続（装着）されて、本体部と共に発電装置を構成するものである。発電モジュール群１は、光電変換によって発電した発電電力を発電装置の本体部に供給する。図１では、発電モジュール群１で発電された発電電力を発電装置の本体部に出力するための機構については、図示を省略している。
【００１８】
シート１０は、可撓性を有する部材である。また、シート１０は、柔軟性を有していてもよい。図２に示すように、シート１０が発電パネル２１〜２９の下側に配置されることで、シート１０によって各発電パネル２１〜２９が機械的に連結される。また、シート１０は、４個の発電パネル（例えば発電パネル２１〜２４）が配置されるシート部分の中央部に貫通領域（例えば貫通領域３０）を有する。なお、図１においては、矩形状の四隅を切欠いた形状の貫通領域３０を示しているが、貫通領域３０の形状は、このような形状には限定されず、例えば円形、楕円形、多角形等、任意の形状とすることができる。さらに、発電パネル２１〜２９の形状や厚み等に応じて、貫通領域３０の形状を適宜選択すれば、シート１０に集中する応力の度合いを軽減及び分散させることができる。
【００１９】
また、シート１０は、シート１０内に、各発電パネル２１〜２９を電気的に接続等する配線（図示省略）及び各発電パネル２１〜２９によって発電された電力を取り出す配線（図示省略）を含んでいる。シート１０は、発電パネル２１〜２９が配置される上層と、配線等の中間層と、中間層の下に保護層として配置される下層とを含む層構造であってもよい。
【００２０】
なお、シート１０において、発電パネル２１，２２の間に位置する部分をシート部分１１、発電パネル２３，２４の間に位置する部分をシート部分１２、発電パネル２１，２３の間に位置する部分をシート部分１３と称するものとする。また、発電パネル２２，２４の間に位置する部分をシート部分１４、発電パネル２８，２９の間に位置する部分をシート部分１５、発電パネル２４，２６の間に位置する部分をシート部分１６と称するものとする。また、発電パネル２５，２６の間に位置する部分をシート部分１７、発電パネル２６，２９の間に位置する部分をシート部分１８、発電パネル２４，２８の間に位置する部分をシート部分１９と称するものとする。
【００２１】
発電パネル２１〜２９は、例えば太陽電池パネルであり、高い剛性を有する。発電パネル２１〜２９は、例えば、略平行四辺形状である。なお、発電パネル２１〜２９は、太陽電池パネルに限定されず、太陽光以外のエネルギーを利用して発電する発電パネル又はその他のパネル等であってもよい。
【００２２】
また、縦方向に配置された発電パネル２１，２３，２５及び発電パネル２２，２４，２６において、辺２１Ａと辺２２Ａ、辺２３Ａと辺２４Ａ、及び、辺２５Ａと辺２６Ａは、互いに横方向に隣接する。さらに、辺２１Ａ，２３Ａ，２５Ａ及び辺２２Ａ，２４Ａ，２６Ａは、図１に示すように上側から見ると、縦方向に沿って略ジグザグ状になっている。また、縦方向に配置された発電パネル２２，２４，２６及び発電パネル２７，２８，２９において、辺２２Ｂと辺２７Ｂ、辺２４Ｂと辺２８Ｂ、及び、辺２６Ｂと辺２９Ｂは、互いに横方向に隣接する。さらに、辺２２Ｂ，２４Ｂ，２６Ｂ及び辺２７Ｂ，２８Ｂ，２９Ｂも、図１に示すように上側から見ると、縦方向に沿って略ジグザグ状になっている。
【００２３】
利用者は、発電モジュール群１を使用する際、各発電パネル２１〜２９が互いに重ならないよう、発電モジュール群１全体を平面状に広げた状態、すなわち、使用状態にする。また、利用者は、発電モジュール群１を使用せず収納する際は、発電モジュール群１を縦方向及び横方向に沿って折り畳み、各発電パネル２１〜２９が上下に重ねられた状態（以下「収納状態」という）にする。以下、図１に示す使用状態の発電モジュール群１を収納状態にする際に、利用者が行う操作を説明する。
【００２４】
まず、利用者は、例えば辺２１Ｃ，２３Ｃ，２５Ｃの何れか一辺を左手で持ち、辺２７Ｃ，２８Ｃ，２９Ｃの何れか一辺を右手で持ち、辺２１Ｃ，２３Ｃ，２５Ｃと辺２７Ｃ，２８Ｃ，２９Ｃとを横方向に沿って互いに近づける。すると、発電モジュール群１は、例えばシート部１１，１２，１７が谷型形状及びシート部１８，１９が山型形状にそれぞれ曲がることで、縦方向に沿って折り畳まれて蛇腹形状になる。図３に、図１に示す発電モジュール群１の縦方向折り畳み状態における斜視図を示す。次に、発電モジュール群１が図３に示すように蛇腹形状になると、利用者は、その発電モジュール群１の蛇腹を縮めて、発電モジュール群１を収納状態にする。図４に、図１に示す発電モジュール群１の収納状態における上面図を示し、図５に、図１に示す発電モジュール群の収納状態における正面図を示す。ここで、本実施形態に係る発電モジュール群１では、発電パネル２１〜２９が有する配置関係によって、発電モジュール群１は、縦方向に沿って折り曲げられた際、図３に示すような蛇腹形状となる。以下、発電パネル２１〜２９が有する配置関係について説明する。
【００２５】
図６は、図１に示す発電モジュール群１における発電パネル２１〜２９の配置関係について説明するための上面図である。なお、図６では、説明のため、図１に示す発電パネル２１〜２４の枠線のみを示し、シート１０等の図示を省略している。
【００２６】
なお、本明細書では、発電パネルの底部側とは、図６等の上面図において、その発電パネルが図示されている部分よりも、紙面下側を意味するものとする。また、発電パネルの頂部側とは、図６等の上面図において、その発電パネルが図示されている部分よりも、紙面上側を意味するものとする。
【００２７】
まず、横方向に隣接する発電パネルの配置関係について説明する。以下では、互いに横方向に隣接する発電パネル（第１発電パネル）２１及び発電パネル（第２発電パネル）２２を例に説明する。
【００２８】
本実施形態では、発電パネル２１と発電パネル２２との間には、第１直線Ｌ１，Ｌ１’が存在する。第１直線Ｌ１，Ｌ１’とは、発電パネル２１，２２の何れも横切らず、かつ発電パネル２１，２２の両方に接する直線である。また、第２直線Ｌ２は、発電パネル２１の底部側及び発電パネル２２の底部側に存在し、かつ発電パネル２１，２２の何れも横切らない直線である。加えて、第２直線Ｌ２は、横方向に平行な直線である。
【００２９】
ここで、第１直線Ｌ１，Ｌ１’と第２直線Ｌ２とにより形成される角のうち、発電パネル２２側に形成される角度が最大となる角を、第１角θ１と称する。図６の例では、第１角θ１は、第１直線Ｌ１と第２直線Ｌ２とにより形成される。このとき、第１角θ１は、鋭角（９０°未満）である。
【００３０】
次に、縦方向に隣接する発電パネルの配置関係について説明する。
【００３１】
発電パネル２１と縦方向に隣接する発電パネル（第３発電パネル）２３は、発電パネル２１と、横方向に対して線対称になるように配置される。また、発電パネル２２と縦方向に隣接する発電パネル（第４発電パネル）２４は、発電パネル２２と、横方向に対して線対称となるように配置される。なお、発電パネル２３，２４は、それぞれ、発電パネル２１，２２と横方向に対して線対称になるように配置されれば、発電パネル２１，２２と発電パネル２３，２４との間の間隔ｄは、任意であってよい。
【００３２】
加えて、図６に示すように、発電パネル２３，２４が互いに横方向に隣接する場合の発電パネル２３，２４の配置関係を、以下に説明する。
【００３３】
本実施形態では、発電パネル２３と発電パネル２４との間には、第３直線Ｌ３，Ｌ３’が存在する。第３直線Ｌ３，Ｌ３’とは、発電パネル２３，２４の何れも横切らず、かつ発電パネル２３，２４の両方に接する直線である。また、第２直線Ｌ２は、発電パネル２３の頂部側及び発電パネル２４の頂部側に存在し、かつ発電パネル２３，２４の何れも横切らない直線である。
【００３４】
ここで、第３直線Ｌ３，Ｌ３’と第２直線Ｌ２とにより形成される角のうち、発電パネル２４側に形成される角度が最大となる角を、第２角θ２と称する。図６の例では、第２角θ２は、第３直線Ｌ３と第２直線Ｌ２とにより形成される。このとき、第２角θ２は、鋭角である。
【００３５】
このような構成とすることで、発電モジュール群１を縦方向に沿って折り畳む度に、発電パネル２１，２３の間に位置するシート部分１３（図１参照）等は、常に、所定の形状に曲がる。この際の様子を図７に示す。
【００３６】
図７は、図６に示す発電モジュール群１の縦方向折り畳み状態における斜視図である。発電モジュール群１では、上述のように、互いに横方向に隣接する発電パネル２１，２２等において、第１角θ１及び第２角θ２が鋭角である。その結果、互いに横方向に隣接する発電パネル２１及び発電パネル２２を横切らずに、辺２１Ａと辺２２Ａとの間を通り、縦方向に平行な直線を引くことはできない。同様に、互いに横方向に隣接する発電パネル２３及び発電パネル２４を横切らずに、辺２３Ａと辺２４Ａとの間を通り、縦方向に平行な直線を引くことはできない。例えば図６に示す縦方向に平行な直線Ｍ１は、辺２１Ａ，２３Ａ及び辺２２Ａ，２４Ａを横切る。これにより、発電モジュール群１を縦方向に沿って折り畳むと、図６に示す辺２１Ａ，２３Ａ及び辺２２Ａ，２４Ａの縦方向に沿った略ジグザグ状に依拠してシート部分１３，１４が所定の形状に曲がり、発電モジュール群１が蛇腹形状になる。
【００３７】
（比較例）
図８は、比較例に係る発電モジュール群１ａにおける複数の発電パネルの配置について説明するための上面図である。なお、図８に示す要素で図６に示す要素と同一要素は、同一符号を付し、その説明を省略する。
【００３８】
発電パネル２１と発電パネル２２との間には、第１直線Ｌ１ａ，Ｌ１ａ’が存在する。第１直線Ｌ１ａ，Ｌ１ａ’とは、発電パネル２１，２２の何れも横切らず、かつ発電パネル２１，２２の両方に接する。また、第２直線Ｌ２は、発電パネル２１の底部側及び発電パネル２２の底部側に存在し、かつ発電パネル２１，２２の何れも横切らない直線である。加えて、第２直線Ｌ２は、横方向に平行な直線である。
【００３９】
ここで、第１直線Ｌ１ａ，Ｌ１ａ’と第２直線Ｌ２とにより形成される角のうち、発電パネル２２側に形成される角度が最大となる角を、第１角θ１ａと称する。図８の例では、第１角θ１ａは、第１直線Ｌ１ａと第２直線Ｌ２とにより形成される。このとき、比較例では、第１角θ１ａは、鈍角（９０°より大きい）となる。
【００４０】
発電パネル２３と発電パネル２４との間には、第３直線Ｌ３ａ，Ｌ３ａ’が存在する。第３直線Ｌ３ａ，Ｌ３ａ’とは、発電パネル２３，２４の何れも横切らず、かつ発電パネル２３，２４の両方に接する直線である。
【００４１】
ここで、第３直線Ｌ３ａ，Ｌ３ａ’と第２直線Ｌ２とにより形成される角のうち、発電パネル２４側に形成される角度が最大となる角を、第２角θ２ａと称する。図８の例では、第２角θ２ａは、第３直線Ｌ３ａと第２直線Ｌ２とにより形成される。このとき、比較例では、第２角θ２ａは、鈍角となる。
【００４２】
このような構成を有する発電モジュール群１ａは、縦方向に沿って折り畳んでも、本実施形態に係る発電モジュール群１のように、発電パネル２１，２３の間に位置するシート部分等が、所定の形状には曲がらない。これを以下に説明する。
【００４３】
図９は、図８に示す発電モジュール群１ａの縦方向折り畳み状態における斜視図である。比較例に係る発電モジュール群１ａでは、上述のように、第１角θ１ａ及び第２角θ２ａが鈍角となる。その結果、互いに横方向に隣接する発電パネル２１，２２の間において、辺２１Ａ，２３Ａ及び辺２２Ａ，２４Ａの何れも横切らない縦方向に平行な直線（例えば図８に示す直線Ｍ２）が存在するようになる。従って、比較例に係る発電モジュール群１ａを縦方向に沿って折り畳むと、図８に示す辺２１Ａ，２３Ａ及び辺２２Ａ，２４Ａの縦方向に沿った略ジグザグ状に依拠せずに、直線（例えば図８に示す直線Ｍ２）に沿って折り畳まれるようになる。そのため、比較例に係る発電モジュール群１ａは、縦方向に沿って折り畳んでも、蛇腹形状にはならない。
【００４４】
これに対し、本実施形態に係る発電モジュール群１では、第１角θ１及び第２角θ２が鋭角となるように発電パネル２１等が配置されている。そのため、発電モジュール群１を縦方向に沿って折り畳んだ際、発電モジュール群１は、図６に示す辺２１Ａ，２３Ａ及び辺２２Ａ，２４Ａの縦方向に沿った略ジグザグ状に依拠して、蛇腹形状になる。
【００４５】
なお、第１角θ１及び第２角θ２は、発電モジュール群１の収納状態（図４参照）において、発電パネルが占める面積を規定する要素の１つとなる。例えば、第１角θ１及び第２角θ２を８０°未満にすると、発電モジュール群１の収納状態において、発電パネル同士のずれが大きくなり、発電パネルによって占められる平面内の面積が増加する。これを図４に示す上面図で説明すると、第１角θ１及び第２角θ２を８０°未満にした場合、発電パネル２６と発電パネル２９とのずれが大きくなり、発電パネル２６と発電パネル２９とによって占められる平面内の面積が増加する。従って、第１角θ１及び第２角θ２は、８０°以上９０°未満にすることが好ましい。これにより、発電モジュール群１の収納状態において、発電パネルによって占められる平面内の面積の増加を防ぐことができ、発電モジュール群１は、携帯性に優れたものとなり得る。
【００４６】
ここで、シート状の発電モジュール群の構成によっては、利用者が、様々な折り畳み方で、その発電モジュール群を折り畳むことが可能になる場合がある。この場合、利用者が、発電モジュール群を収納状態にする度に、異なる折り畳み方でシート状の発電モジュール群を折り畳むと、その発電モジュール群では、収納状態となる度に、あるシート部分が山型形状になったり谷型形状になったりすることがあり得る。このようなシート部分は、山型形状及び谷型形状を繰り返すことで、破断しやすくなる。
【００４７】
これに対し、本実施形態に係る発電モジュール群１では、図１に示す互いに隣接する辺２１Ａ，２３Ａ，２５Ａ及び辺２２Ａ，２４Ａ，２６Ａ等の縦方向に沿った略ジグザグ状に依拠して、図３に示す蛇腹形状になる。そのため、発電モジュール群１では、折り畳まれて図３に示す蛇腹形状になる度に、同一シート部分は、常に、所定の形状（山型形状又は谷型形状）に曲がる。例えば、図３に示すように、シート部分１３，１４は谷型形状に曲がり、シート部分１５，１６は山型形状に曲がる。従って、利用者によって図３に示す蛇腹形状の発電モジュール群１の蛇腹が縮められ、発電モジュール群１が図４及び図５に示す収納状態になる度に、同一シート部分は、同一形状に曲げられる。つまり、発電モジュール群１では、収納状態となる度に、山型形状になったり谷型形状になったりするシート部分が生じにくい。これにより、発電モジュール群１は、耐久性により優れたものとなる。
【００４８】
このように、本実施形態に係る発電モジュール群１では、シート１０に折り線を形成せず、第１角θ１及び第２角θ２が鋭角となるように発電パネル２１等を配置することで、発電モジュール群１をコンパクトに折り畳めるようにしている。そのため、シートに形成された折り線に起因して、シート１０が破断することがない。従って、発電モジュール群１は、携帯性及び耐久性に優れたものとなる。
【００４９】
さらに、発電モジュール群１では、シート１０に折り線を形成しないため、収納状態において、図５に示すようにシート部分１３等が曲がるようになる。そのため、シート内の配線への負担を低減することができ、発電モジュール群１は、耐久性により優れたものとなる。
【００５０】
また、発電モジュール群１では、図４に示すように、収納状態においてシート部分が重なり合う箇所に貫通領域３０が設けられている。そのため、発電モジュール群１では、上下方向におけるシート１０の膨らみを低減し、収納状態における発電モジュール群１のコンパクト化を高めることができる。これにより、発電モジュール群１は、携帯性に優れたものとなり得る。さらに、収納状態においてシート部分が重なり合う箇所に貫通領域３０を設けると、シート部分が重なり合うことでシート１０にかかる負担を低減することができるため、シート１０が破断することを防ぐことができる。
【００５１】
なお、本実施形態では、第１角θ１及び第２角θ２が鋭角となるように発電パネルを配置すれば、略平行四辺形の形状に限らず、多様な形状の発電パネルを発電モジュール群１に採用することができる。以下に、本実施形態に係る発電モジュール群１に採用することができる発電パネルの一例を、変形例として示す。
【００５２】
（変形例１）
図１０は、変形例１に係る発電モジュール群１ｂにおける発電パネルの配置関係について説明するための上面図である。なお、図１０に示す構成要素において、図６に示す構成要素と同一の構成要素は、同一符号を付し、その説明を省略する。また、図１０においても、図６と同様に、シート１０等は図示を省略している。
【００５３】
発電モジュール群１ｂは、互いに横方向に隣接する発電パネル２１ｂ，２２ｂと、互いに横方向に隣接する発電パネル２３ｂ，２４ｂとを備える。また、発電パネル２３ｂは、発電パネル２１ｂと縦方向に隣接し、さらに発電パネル２１ｂと横方向に対して線対称となるように配置される。また、発電パネル２４ｂは、発電パネル２２ｂと縦方向に隣接し、さらに発電パネル２２ｂと横方向に対して線対称となるように配置される。
【００５４】
以下、変形例１に係る発電パネル２１ｂ〜２４ｂの配置関係について説明する。
【００５５】
発電パネル２１ｂと発電パネル２２ｂとの間には、第１直線Ｌ１ｂ，Ｌ１ｂ’が存在する。第１直線Ｌ１ｂ，Ｌ１ｂ’とは、発電パネル２１ｂ，２２ｂの何れも横切らず、かつ発電パネル２１ｂ，２２ｂの両方に接する直線である。また、第２直線Ｌ２ｂは、発電パネル２１ｂの底部側及び発電パネル２２ｂの底部側に存在し、かつ発電パネル２１ｂ，２２ｂの何れも横切らない直線である。加えて、第２直線Ｌ２ｂは、横方向に平行な直線である。
【００５６】
ここで、第１直線Ｌ１ｂ，Ｌ１ｂ’と第２直線Ｌ２ｂとにより形成される角のうち、発電パネル２２ｂ側に形成される角度が最大となる角を、第１角θ１ｂと称する。図１０の例では、第１角θ１ｂは、第１直線Ｌ１ｂと第２直線Ｌ２ｂとにより形成される。このとき、変形例１でも、本実施形態と同様に、第１角θ１ｂは、鋭角（９０°未満）である。
【００５７】
発電パネル２３ｂは、発電パネル２１ｂと横方向に対して線対称となるように配置される。また、発電パネル２４ｂは、発電パネル２２ｂと横方向に対して線対称となるように配置される。加えて、図１０に示すように、発電パネル２３ｂ，２４ｂが互いに横方向に隣接する場合の発電パネル２３ｂ，２４ｂの配置関係を、以下に説明する。
【００５８】
発電パネル２３ｂと発電パネル２４ｂとの間には、第３直線Ｌ３ｂ，Ｌ３ｂ’が存在する。第３直線Ｌ３ｂ，Ｌ３ｂ’とは、発電パネル２３ｂ，２４ｂの何れも横切らず、かつ発電パネル２３ｂ，２４ｂの両方に接する直線である。また、第２直線Ｌ２ｂは、発電パネル２３ｂの頂部側及び発電パネル２４ｂの頂部側に存在し、かつ発電パネル２３ｂ，２４ｂの何れも横切らない直線である。
【００５９】
ここで、第３直線Ｌ３ｂ，Ｌ３ｂ’と第２直線Ｌ２ｂとにより形成される角のうち、発電パネル２４側に形成される角度が最大となる角を、第２角θ２ｂと称する。図１０の例では、第２角θ２ｂは、第３直線Ｌ３ｂと第２直線Ｌ２ｂとにより形成される。このとき、変形例１でも、本実施形態と同様に、第２角θ２ｂは、鋭角である。
【００６０】
このような発電パネル２１ｂ〜２４ｂを備える発電モジュール群１ｂであっても、第１角θ１ｂ及び第２角θ２ｂが鋭角となるよう発電パネル２１ｂ〜２４ｂを配置すれば、本実施形態に係る発電モジュール群１と同様の効果を得ることができる。
【００６１】
（変形例２）
図１１は、変形例２に係る発電モジュール群１ｃにおける発電パネルの配置関係について説明するための上面図である。なお、図１１に示す構成要素において、図６に示す構成要素と同一の構成要素は、同一符号を付し、その説明を省略する。また、図１１においても、図６と同様に、シート１０等は図示を省略している。
【００６２】
発電モジュール群１ｃは、互いに横方向に隣接する発電パネル２１ｃ，２２ｃと、互いに横方向に隣接する発電パネル２３ｃ，２４ｃとを備える。また、発電パネル２３ｃは、発電パネル２１ｃと縦方向に隣接し、さらに横方向に対して発電パネル２１ｃと線対称となるように配置される。また、発電パネル２４ｃは、発電パネル２２ｃと縦方向に隣接し、さらに横方向に対して発電パネル２２ｃと線対称となるように配置される。また、変形例２に係る発電パネル２１ｃ〜２４ｃは、略楕円形状である。
【００６３】
以下、変形例２に係る発電パネル２１ｃ〜２４ｃの配置関係について説明する。
【００６４】
発電パネル２１ｃと発電パネル２２ｃとの間には、第１直線Ｌ１ｃ，Ｌ１ｃ’が存在する。第１直線Ｌ１ｃ，Ｌ１ｃ’とは、発電パネル２１ｃ，２２ｃの何れも横切らず、かつ発電パネル２１ｃ，２２ｃの両方に接する直線である。また、第２直線Ｌ２ｃは、発電パネル２１ｃの底部側及び発電パネル２２ｃの底部側に存在し、発電パネル２１ｃ，２２ｃの何れも横切らない直線である。加えて、第２直線Ｌ２ｃは、横方向に平行な直線である。
【００６５】
ここで、第１直線Ｌ１ｃ，Ｌ１ｃ’と第２直線Ｌ２ｃとにより形成される角のうち、発電パネル２２ｃ側に形成される角度が最大となる角を、第１角θ１ｃと称する。図１１の例では、第１角θ１ｃは、第１直線Ｌ１ｃと第２直線Ｌ２ｃとにより形成される。このとき、変形例２でも、本実施形態と同様に、第１角θ１ｃは、鋭角（９０°未満）である。
【００６６】
発電パネル２３ｃは、発電パネル２１ｃと横方向に対して線対称となるように配置される。また、発電パネル２４ｃは、発電パネル２２ｃと横方向に対して線対称となるように配置される。加えて、図１１に示すように、発電パネル２３ｃ，２４ｃが互いに横方向に隣接する場合の発電パネル２３ｃ，２４ｃの配置関係を、以下に説明する。
【００６７】
発電パネル２３ｃと発電パネル２４ｃとの間には、第３直線Ｌ３ｃ，Ｌ３ｃ’が存在する。第３直線Ｌ３ｃ，Ｌ３ｃ’とは、発電パネル２３ｃ，２４ｃの何れも横切らず、かつ発電パネル２３ｃ，２４ｃの両方に接する直線である。また、第２直線Ｌ２ｃは、発電パネル２３ｃの頂部側及び発電パネル２４ｃの頂部側に存在し、かつ発電パネル２３ｃ，２４ｃの何れも横切らない。
【００６８】
ここで、第３直線Ｌ３ｃ，Ｌ３ｃ’と第２直線Ｌ２ｃとにより形成される角のうち、発電パネル２４側に形成される角度が最大となる角を、第２角θ２ｃと称する。図１１の例では、第２角θ２ｃは、第３直線Ｌ３ｃと第２直線Ｌ２ｃとにより形成される。このとき、変形例２でも、本実施形態と同様に、第２角θ２ｃは、鋭角である。
【００６９】
このような略楕円形状の発電パネル２１ｃ〜２４ｃを備える発電モジュール群１ｃであっても、第１角θ１ｃ及び第２角θ２ｃが鋭角となるよう発電パネル２１ｃ〜２４ｃを配置すれば、本実施形態に係る発電モジュール群１と同様の効果を得ることができる。
【００７０】
本発明を図面および実施形態に基づき説明してきたが、当業者であれば本開示に基づき種々の変形または修正を行うことが容易であることに注意されたい。したがって、これらの変形または修正は本発明の範囲に含まれることに留意されたい。
【産業上の利用可能性】
【００７１】
本発明によれば、携帯性及び耐久性に優れた発電モジュール群を提供することができる。
【符号の説明】
【００７２】
１，１ａ，１ｂ，１ｃ  発電モジュール群
１０  シート
１１，１２，１３，１４，１５，１６，１７，１８，１９，１１ａ，１２ａ  シート部分
２１，２２，２３，２４，２５，２６，２７，２８，２９  発電パネル
２１ｂ，２１ｃ，２２ｂ，２２ｃ，２３ｂ，２３ｃ，２４ｂ，２４ｃ，  発電パネル
２１Ａ，２２Ａ，２３Ａ，２４Ａ，２５Ａ，２６Ａ  辺
２２Ｂ，２４Ｂ，２６Ｂ，２７Ｂ，２８Ｂ，２９Ｂ  辺
３０  貫通領域
Ｌ１，Ｌ１ａ，Ｌ１ｂ，Ｌ１ｃ  第１直線
Ｌ２，Ｌ２ｂ，Ｌ２ｃ  第２直線
Ｌ３，Ｌ３ａ，Ｌ３ｂ，Ｌ３ｃ  第３直線
Ｍ１，Ｍ２  直線
ｄ  間隔
【図１】
2017168981.tif 000003
【図２】
2017168981.tif 000004
【図３】
2017168981.tif 000005
【図４】
2017168981.tif 000006
【図５】
2017168981.tif 000007
【図６】
2017168981.tif 000008
【図７】
2017168981.tif 000009
【図８】
2017168981.tif 000010
【図９】
2017168981.tif 000011
【図１０】
2017168981.tif 000012
【図１１】
2017168981.tif 000013
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
折り畳み可能な携帯型の発電モジュール群であって、
可撓性を有するシートと、該シートによって連結される複数の発電パネルとを備え、
前記複数の発電パネルに含まれる、互いに横方向に隣接する第１発電パネル及び第２発電パネルと、該第１発電パネルに縦方向に隣接する第３発電パネルと、該第２発電パネルに縦方向に隣接する第４発電パネルとにおいて、
前記第１発電パネルと前記第２発電パネルとの間には、前記第１発電パネル及び前記第２発電パネルの何れも横切らず、かつ前記第１発電パネル及び前記第２発電パネルの両方に接する第１直線が存在し、
前記第１発電パネルの前記第３発電パネル側及び前記第２発電パネルの前記第４発電パネル側に存在し、かつ前記第１発電パネル及び前記第２発電パネルの何れも横切らず、さらに横方向に平行な第２直線と、前記第１直線とにより形成される角のうち、前記第２発電パネル側の角度が最大となる第１角が鋭角であり、
前記第３発電パネルは、前記第１発電パネルと横方向に対して線対称となるように配置され、前記第４発電パネルは、前記第２発電パネルと横方向に対して線対称となるように配置され、
前記第３発電パネル及び前記第４発電パネルは、互いに横方向に隣接し、
前記第２直線は、前記第３発電パネルの前記第１発電パネル側及び前記第４発電パネルの前記第２発電パネル側に存在し、かつ前記第３発電パネル及び前記第４発電パネルの何れも横切らず、
前記第３発電パネルと前記第４発電パネルとの間には、前記第３発電パネル及び前記第４発電パネルの何れも横切らず、かつ前記第３発電パネル及び前記第４発電パネルの両方に接する第３直線が存在し、
前記第２直線と、前記第３直線とにより形成される角であって、前記第４発電パネル側の角度が最大となる第２角が鋭角であり、
前記シートにおいて、隣接する２つの前記発電パネルの間に位置する部分であるシート部分の、該発電パネルの辺に接する部分の長さは、該発電パネルの辺の長さよりも短い、発電モジュール群。
【請求項２】
前記第１角及び前記第２角は、８０°以上９０°未満である、請求項１に記載の発電モジュール群。
【請求項３】
前記シートは、配線を含む、請求項１又は２に記載の発電モジュール群。
【国際調査報告】
2017168981.tif 000014
2017168981.tif 000015
2017168981.tif 000016
2017168981.tif 000017